(57)【要約】      （修正有）【課題】動画像データを編集するための編集時間を短縮することができ、且つ、動画像データを再生表示したときの再生時間を短縮することができる動画像編集装置を提供すること。【解決手段】制御装置１は、ユーザによる調整指示に応じて、操作画面に表示された複数の動画像データの各々に対してユーザ指定不要動画像データを指定する。制御装置１は、ユーザによる格納指示に応じて、ユーザ指定不要動画像データが指定された複数の動画像データをそれぞれ複数の編集動画像データとして記憶装置３に格納する。制御装置１は、ユーザによる第１編集動画像データ再生指示に応じて、記憶装置３に格納された複数の編集動画像データのうちの第１編集動画像データを選択し、第１編集動画像データのうち、ユーザ指定不要動画像データ以外の動画像データを表示装置２に再生表示する。【選択図】図１
2006086634.tif 000002
【特許請求の範囲】
【請求項１】
テレビ放送用の複数の動画像データを格納する記憶装置と、
表示装置と、
制御装置とを具備し、
前記制御装置は、
ユーザによる画像表示指示に応じて、前記記憶装置に格納された前記複数の動画像データを表す操作画面を前記表示装置に表示する操作画面表示制御部と、
ユーザによる調整指示に応じて、前記操作画面に表示された前記複数の動画像データの各々に対してユーザ指定不要動画像データを指定するユーザ指定制御部と、
ユーザによる格納指示に応じて、前記ユーザ指定不要動画像データが指定された前記複数の動画像データをそれぞれ複数の編集動画像データとして前記記憶装置に格納する格納制御部と、
ユーザによる第１編集動画像データ再生指示に応じて、前記記憶装置に格納された前記複数の編集動画像データのうちの第１編集動画像データを選択し、前記第１編集動画像データのうち、前記ユーザ指定不要動画像データ以外の動画像データを前記表示装置に再生表示する再生表示制御部と
を具備する動画像編集装置。
【請求項２】
請求項１に記載の動画像編集装置において、
前記操作画面表示制御部は、
ユーザによる前記画像表示指示に応じて、前記記憶装置に格納された前記複数の動画像データの各々を一方向に時系列に前記操作画面に表示し、前記操作画面に表示された前記複数の動画像データの各々に対して垂直方向にカットポイントバーを前記操作画面に表示し、
前記ユーザ指定制御部は、
ユーザによる前記調整指示に応じて、前記操作画面に表示された前記複数の動画像データの各々の第１位置及び第２位置に前記カットポイントバーをそれぞれ指定し、前記操作画面に表示された前記複数の動画像データの各々に対して、前記第１位置及び前記第２位置をそれぞれ第１指定位置及び第２指定位置として付与し、
前記第１指定位置と前記第２指定位置とに基づいて、前記操作画面に表示された前記複数の動画像データの各々に対して、前記第１指定位置と前記第２指定位置との間の動画像データを前記ユーザ指定不要動画像データとして指定する
動画像編集装置。
【請求項３】
請求項１に記載の動画像編集装置において、
前記調整指示は、選別調整指示と、エリア指定調整指示とを含み、
前記ユーザ指定制御部は、
ユーザによる前記選別調整指示に応じて、前記操作画面に表示された前記複数の動画像データの各々を複数の候補動画像データに選別し、
ユーザによる前記エリア指定調整指示に応じて、前記操作画面に表示された前記複数の動画像データの各々の前記複数の候補動画像データのうち、奇数番目の候補動画像データと偶数番目の候補動画像データとの一方の候補動画像データを前記ユーザ指定不要動画像データとして指定する
動画像編集装置。
【請求項４】
請求項３に記載の動画像編集装置において、
前記操作画面表示制御部は、
ユーザによる前記画像表示指示に応じて、前記記憶装置に格納された前記複数の動画像データの各々を一方向に時系列に前記操作画面に表示し、前記操作画面に表示された前記複数の動画像データの各々に対して垂直方向にカットポイントバーを前記操作画面に表示し、
前記ユーザ指定制御部は、
ユーザによる前記選別調整指示に応じて、前記操作画面に表示された前記複数の動画像データの各々の複数の位置に前記カットポイントバーをそれぞれ指定し、前記操作画面に表示された前記複数の動画像データの各々に対して、前記複数の位置をそれぞれ複数の指定位置として付与し、
前記複数の指定位置に基づいて、前記操作画面に表示された前記複数の動画像データの各々を前記複数の候補動画像データに選別する
動画像編集装置。
【請求項５】
請求項４に記載の動画像編集装置において、
前記ユーザ指定制御部は、ユーザによる前記選別調整指示に応じて、前記操作画面に表示された前記複数の動画像データの各々の前記複数の位置に前記カットポイントバーをそれぞれ自動的に指定するオートアジャスト処理を実行する
動画像編集装置。
【請求項６】
請求項１〜５のいずれかに記載の動画像編集装置において、
前記ユーザ指定不要動画像データは、コマーシャルを表す
動画像編集装置。
【請求項７】
請求項１〜６のいずれかに記載の動画像編集装置において、
前記複数の動画像データの各々は、定期的に同じ時間帯にテレビ放送された番組を録画したときの録画データである
動画像編集装置。
【請求項８】
テレビ放送用の複数の動画像データを格納する記憶装置と、表示装置とに接続されたコンピュータに実行させるコンピュータプログラムであって、
ユーザによる画像表示指示に応じて、前記記憶装置に格納された前記複数の動画像データを表す操作画面を前記表示装置に表示する操作画面表示ステップと、
ユーザによる調整指示に応じて、前記操作画面に表示された前記複数の動画像データの各々に対してユーザ指定不要動画像データを指定するユーザ指定ステップと、
ユーザによる格納指示に応じて、前記ユーザ指定不要動画像データが指定された前記複数の動画像データをそれぞれ複数の編集動画像データとして前記記憶装置に格納する格納ステップと、
ユーザによる第１編集動画像データ再生指示に応じて、前記記憶装置に格納された前記複数の編集動画像データのうちの第１編集動画像データを選択し、前記第１編集動画像データのうち、前記ユーザ指定不要動画像データ以外の動画像データを前記表示装置に再生表示する再生表示ステップと
の各ステップを前記コンピュータに実行させるコンピュータプログラム。
【請求項９】
請求項８に記載のコンピュータプログラムにおいて、
前記操作画面表示ステップは、
ユーザによる前記画像表示指示に応じて、前記記憶装置に格納された前記複数の動画像データの各々を一方向に時系列に前記操作画面に表示し、前記操作画面に表示された前記複数の動画像データの各々に対して垂直方向にカットポイントバーを前記操作画面に表示するステップを含み、
前記ユーザ指定ステップは、
ユーザによる前記調整指示に応じて、前記操作画面に表示された前記複数の動画像データの各々の第１位置及び第２位置に前記カットポイントバーをそれぞれ指定し、前記操作画面に表示された前記複数の動画像データの各々に対して、前記第１位置及び前記第２位置をそれぞれ第１指定位置及び第２指定位置として付与するステップと、
前記第１指定位置と前記第２指定位置とに基づいて、前記操作画面に表示された前記複数の動画像データの各々に対して、前記第１指定位置と前記第２指定位置との間の動画像データを前記ユーザ指定不要動画像データとして指定するステップと
を含むコンピュータプログラム。
【請求項１０】
請求項８に記載のコンピュータプログラムにおいて、
前記調整指示は、選別調整指示と、エリア指定調整指示とを含み、
前記ユーザ指定ステップは、
ユーザによる前記選別調整指示に応じて、前記操作画面に表示された前記複数の動画像データの各々を複数の候補動画像データに選別するステップと、
ユーザによる前記エリア指定調整指示に応じて、前記操作画面に表示された前記複数の動画像データの各々の前記複数の候補動画像データのうち、奇数番目の候補動画像データと偶数番目の候補動画像データとの一方の候補動画像データを前記ユーザ指定不要動画像データとして指定するステップと
を含むコンピュータプログラム。
【請求項１１】
請求項１０に記載のコンピュータプログラムにおいて、
前記操作画面表示ステップは、
ユーザによる前記画像表示指示に応じて、前記記憶装置に格納された前記複数の動画像データの各々を一方向に時系列に前記操作画面に表示し、前記操作画面に表示された前記複数の動画像データの各々に対して垂直方向にカットポイントバーを前記操作画面に表示するステップを含み、
前記ユーザ指定ステップは、
ユーザによる前記選別調整指示に応じて、前記操作画面に表示された前記複数の動画像データの各々の複数の位置に前記カットポイントバーをそれぞれ指定し、前記操作画面に表示された前記複数の動画像データの各々に対して、前記複数の位置をそれぞれ複数の指定位置として付与するステップと、
前記複数の指定位置に基づいて、前記操作画面に表示された前記複数の動画像データの各々を前記複数の候補動画像データに選別するステップと
を更に含むコンピュータプログラム。
【請求項１２】
請求項１１に記載のコンピュータプログラムにおいて、
前記ユーザ指定ステップは、ユーザによる前記選別調整指示に応じて、前記操作画面に表示された前記複数の動画像データの各々の前記複数の位置に前記カットポイントバーをそれぞれ自動的に指定するオートアジャスト処理を実行するステップ
を更に含むコンピュータプログラム。
【請求項１３】
請求項８〜１２のいずれかに記載のコンピュータプログラムにおいて、
前記ユーザ指定不要動画像データは、コマーシャルを表す
コンピュータプログラム。
【請求項１４】
請求項８〜１３のいずれかに記載のコンピュータプログラムにおいて、
前記複数の動画像データの各々は、定期的に同じ時間帯にテレビ放送された番組を録画したときの録画データである
コンピュータプログラム。
【発明の詳細な説明】
【技術分野】
【０００１】
本発明は、動画像データを編集する動画像編集装置に関する。
【背景技術】
【０００２】
テレビ放送された番組の動画像データを録画番組として記憶装置（例示；ハードディスクレコーダー）に格納し、記憶装置に格納された動画像データを、ユーザが必要とする動画像データに編集する編集装置が知られている。記憶装置に格納された動画像データには、ユーザが必要とする動画像データ（必要動画像データ）と、必要動画像データ以外の動画像データ（不要動画像データ）とが交互に存在する場合がある。この場合、ユーザは、編集装置を操作して、第１番目から最終番目までの必要動画像データを並べることにより、動画像データを編集する。これにより、編集された動画像データを表示装置に再生表示したときの再生時間は、動画像データを表示装置に再生表示したときの再生時間よりも短くなる。しかし、動画像データを編集する作業は単調であるために効率が悪い。
【０００３】
編集装置として、特開２００４−１４０７５０号公報には、ショットの削除や並べ替え程度の簡単な編集からアフレコや画面硬化挿入などのやや高度な編集まで、極めて簡単に行なうことを可能とする画像編集装置が開示されている。この画像編集装置は、複数の動画像信号を取り込むための取り込み手段と、前記複数の動画像のそれぞれを代表する静止画である複数の代表画像と、各動画像の識別番号とを関連付けて表示する第１の表示手段と、前記複数の動画像を並べる順番を設定するために、前記識別番号を所望の順番に並べて入力するための入力画面を表示する第２の表示手段と、前記入力画面に前記識別番号を所望の順番で並べて入力するための入力手段と、前記入力画面に入力された前記識別番号の順番に前記各動画像を並べて編集する編集手段とを備えることを特徴としている。
【０００４】
【特許文献１】特開２００４−１４０７５０号公報
【発明の開示】
【発明が解決しようとする課題】
【０００５】
本発明の課題は、動画像データを編集するための編集時間を短縮することができ、且つ、動画像データを再生表示したときの再生時間を短縮することができる動画像編集装置を提供することにある。
【課題を解決するための手段】
【０００６】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００７】
本発明の動画像編集装置は、テレビ放送用の複数の動画像データ（１０−１）（１０−２）（１０−３）…（１０−ｍ）を格納する記憶装置（３）と、表示装置（２）と、制御装置（１）とを具備している。前記制御装置（１）は、コンピュータであり、コンピュータプログラム（１３）を具備している。コンピュータプログラム（１３）は、操作画面表示制御部（１４）と、ユーザ指定制御部（１５）と、格納制御部（１６）と、再生表示制御部（１７）とを含んでいる。
前記操作画面表示制御部（１４）は、ユーザによる画像表示指示に応じて、前記記憶装置（３）に格納された前記複数の動画像データ（１０−１）（１０−２）（１０−３）…（１０−ｍ）を表す操作画面（３０）を前記表示装置（２）に表示する（Ｓ１−ＹＥＳ、Ｓ５；Ｓ１１、Ｓ１２）（Ｓ１−ＮＯ、Ｓ２−ＹＥＳ、Ｓ６；Ｓ３１、Ｓ３２）。
前記ユーザ指定制御部（１５）は、ユーザによる調整指示に応じて、前記操作画面（３０）に表示された前記複数の動画像データ（１０−１）（１０−２）（１０−３）…（１０−ｍ）の各々に対してユーザ指定不要動画像データ（２０−１−２、２０−１−４、…、２０−１−ｎ；ｎは２以上の整数）（２０−２−２、２０−２−４、…、２０−２−ｎ）（２０−３−２、２０−３−４、…、２０−３−ｎ）（２０−４−２、２０−４−４、…、２０−４−ｎ）を指定する（Ｓ５；Ｓ１３〜Ｓ２１）（Ｓ６；Ｓ３３〜Ｓ４４）。
前記格納制御部（１６）は、ユーザによる格納指示に応じて、前記ユーザ指定不要動画像データ（２０−１−２、２０−１−４、…、２０−１−ｎ）（２０−２−２、２０−２−４、…、２０−２−ｎ）（２０−３−２、２０−３−４、…、２０−３−ｎ）（２０−４−２、２０−４−４、…、２０−４−ｎ）が指定された前記複数の動画像データ（１０−１）（１０−２）（１０−３）…（１０−ｍ）をそれぞれ複数の編集動画像データ（２０−１）（２０−２）（２０−３）…（２０−ｍ）として前記記憶装置（３）に格納する（Ｓ５；Ｓ２２−ＹＥＳ、Ｓ２３）（Ｓ６；Ｓ４５−ＹＥＳ、Ｓ４６）。
前記再生表示制御部（１７）は、ユーザによる第１編集動画像データ再生指示に応じて、前記記憶装置（３）に格納された前記複数の編集動画像データ（２０−１）（２０−２）（２０−３）…（２０−ｍ）のうちの第１編集動画像データ（２０−１）を選択し、前記第１編集動画像データ（２０−１）のうち、前記ユーザ指定不要動画像データ（２０−１−２、２０−１−４、…、２０−１−ｎ）以外の動画像データ（２０−１−１、２０−１−３、２０−１−５、…、２０−１−（ｎ−１））を前記表示装置（２）に再生表示する（Ｓ１−ＮＯ、Ｓ２−ＮＯ、Ｓ３−ＹＥＳ）。
【０００８】
本発明の動画像編集装置によれば、第１編集動画像データ（２０−１）のうち、ユーザ指定不要動画像データ（２０−１−２、２０−１−４、…、２０−１−ｎ）以外の動画像データ（２０−１−１、２０−１−３、２０−１−５、…、２０−１−（ｎ−１））を再生表示したときの再生時間は、第１動画像データ（１０−１）を全て再生表示したときの再生時間（録画時間）よりも短くなる。このように、本発明の動画像編集装置は、再生時間を短縮することができる。
また、本発明の動画像編集装置によれば、複数の動画像データ（１０−１）（１０−２）（１０−３）…（１０−ｍ）の各々を編集する編集時間は、第１動画像データ（１０−１）のみを編集する編集時間よりも短くなる。このように、本発明の動画像編集装置によれば、編集時間を短縮することができる。
【０００９】
本発明の動画像編集装置では簡単編集処理（Ｓ５）を行なう。
簡単編集処理（Ｓ５）において、前記操作画面表示制御部（１４）は、ユーザによる前記画像表示指示に応じて、前記記憶装置（３）に格納された前記複数の動画像データ（１０−１）（１０−２）（１０−３）…（１０−ｍ）の各々を一方向に時系列に前記操作画面（３０）に表示し、前記操作画面（３０）に表示された前記複数の動画像データ（１０−１）（１０−２）（１０−３）…（１０−ｍ）の各々に対して垂直方向にカットポイントバー（３２）を前記操作画面（３０）に表示する（Ｓ５；Ｓ１１、Ｓ１２）。
前記ユーザ指定制御部（１５）は、ユーザによる前記調整指示に応じて、前記操作画面（３０）に表示された前記複数の動画像データ（１０−１）（１０−２）（１０−３）…（１０−ｍ）の各々の第１位置及び第２位置に前記カットポイントバー（３２）をそれぞれ指定し、前記操作画面（３０）に表示された前記複数の動画像データ（１０−１）（１０−２）（１０−３）…（１０−ｍ）の各々に対して、前記第１位置及び前記第２位置をそれぞれ第１指定位置（４１）及び第２指定位置（４２）として付与する（Ｓ５；Ｓ１３〜Ｓ１９）。
前記ユーザ指定制御部（１５）は、前記第１指定位置（４１）と前記第２指定位置（４２）とに基づいて、前記操作画面（３０）に表示された前記複数の動画像データ（１０−１）（１０−２）（１０−３）…（１０−ｍ）の各々に対して、前記第１指定位置（４１）と前記第２指定位置（４２）との間の動画像データを前記ユーザ指定不要動画像データ（２０−１−２）（２０−２−２）（２０−３−２）（２０−４−２）として指定する（Ｓ５；Ｓ２０）。
【００１０】
本発明の動画像編集装置によれば、簡単編集処理（Ｓ５）は、コンピュータに不慣れなユーザが複数の動画像データ（１０−１）（１０−２）（１０−３）…（１０−ｍ）の各々を編集するときに最適な処理である。ユーザは、複数の動画像データ（１０−１）（１０−２）（１０−３）…（１０−ｍ）の各々を編集するときに、操作画面（３０）を参照しながら調整指示を行ない、操作画面（３０）に表示された複数の動画像データ（１０−１）（１０−２）（１０−３）…（１０−ｍ）の各々に対してユーザ指定不要動画像データ（２０−１−２、２０−１−４、…、２０−１−ｎ）（２０−２−２、２０−２−４、…、２０−２−ｎ）（２０−３−２、２０−３−４、…、２０−３−ｎ）（２０−４−２、２０−４−４、…、２０−４−ｎ）を（ｎ／２）回に分けて指定すればよい。
この場合、簡単編集処理（Ｓ５）により複数の動画像データ（１０−１）（１０−２）（１０−３）…（１０−ｍ）の各々を（ｎ／２）回に分けて編集する編集時間は、第１動画像データ（１０−１）のみを（ｎ／２）回に分けてさらにｍ個の動画像データに対してそれぞれを編集する場合と比べて、編集時間が１／ｍに短縮される。このように、本発明の動画像編集装置によれば、簡単編集処理（Ｓ５）により編集時間を短縮することができる。
【００１１】
本発明の動画像編集装置では高度編集処理（Ｓ６）を行なう。高度編集処理（Ｓ６）において、前記調整指示は、選別調整指示と、エリア指定調整指示とを含んでいる。
前記ユーザ指定制御部（１５）は、ユーザによる前記選別調整指示に応じて、前記操作画面（３０）に表示された前記複数の動画像データ（１０−１）（１０−２）（１０−３）…（１０−ｍ）の各々を複数の候補動画像データ（２０−１−１〜２０−１−ｎ）（２０−２−１〜２０−２−ｎ）（２０−３−１〜２０−３−ｎ）（２０−４−１〜２０−４−ｎ）に選別する（Ｓ６；Ｓ３３〜Ｓ４０）。
前記ユーザ指定制御部（１５）は、ユーザによる前記エリア指定調整指示に応じて、前記操作画面（３０）に表示された前記複数の動画像データ（１０−１）（１０−２）（１０−３）…（１０−ｍ）の各々の前記複数の候補動画像データ（２０−１−１〜２０−１−ｎ）（２０−２−１〜２０−２−ｎ）（２０−３−１〜２０−３−ｎ）（２０−４−１〜２０−４−ｎ）のうち、奇数番目の候補動画像データと偶数番目の候補動画像データとの一方の候補動画像データを前記ユーザ指定不要動画像データ（２０−１−２、２０−１−４、…、２０−１−ｎ）（２０−２−２、２０−２−４、…、２０−２−ｎ）（２０−３−２、２０−３−４、…、２０−３−ｎ）（２０−４−２、２０−４−４、…、２０−４−ｎ）として指定する（Ｓ６；Ｓ４１〜Ｓ４４）。
【００１２】
本発明の動画像編集装置によれば、高度編集処理（Ｓ６）は、コンピュータに慣れているユーザが複数の動画像データ（１０−１）（１０−２）（１０−３）…（１０−ｍ）の各々を編集するときに最適な処理であり、ユーザは、調整指示により、操作画面（３０）に表示された複数の動画像データ（１０−１）（１０−２）（１０−３）…（１０−ｍ）の各々に対してユーザ指定不要動画像データを１回で指定する。ユーザが必要とする動画像データが奇数番目の候補動画像データ（２０−１−１、２０−１−３、…、２０−１−（ｎ−１））（２０−２−１、２０−２−３、…、２０−２−（ｎ−１））（２０−３−１、２０−３−３、…、２０−３−（ｎ−１））…（２０−ｍ−１、２０−ｍ−３、…、２０−ｍ−（ｎ−１））であり、ユーザが必要としない動画像データが偶数番目の候補動画像データ（２０−１−２、２０−１−４、…、２０−１−ｎ）（２０−２−２、２０−２−４、…、２０−２−ｎ）（２０−３−２、２０−３−４、…、２０−３−ｎ）…（２０−ｍ−２、２０−ｍ−４、…、２０−ｍ−ｎ）である場合、ユーザは、偶数番目の候補動画像データをユーザ指定不要動画像データとして指定すればよい。
この場合、高度編集処理（Ｓ６）により複数の動画像データ（１０−１）（１０−２）（１０−３）…（１０−ｍ）の各々を（ｎ／２）回に分けて編集する編集時間は、第１動画像データ（１０−１）のみを（ｎ／２）回に分けてユーザー指定不要動画像データの指定をし、さらにそれをｍ個の動画像データに対してそれぞれを編集する場合と比べて、編集時間が（１／ｍ）に短縮される。このように、本発明の動画像編集装置によれば、高度編集処理（Ｓ６）により編集時間を短縮することができる。
【００１３】
本発明の動画像編集装置において、前記操作画面表示制御部（１４）は、ユーザによる前記画像表示指示に応じて、前記記憶装置（３）に格納された前記複数の動画像データ（１０−１）（１０−２）（１０−３）…（１０−ｍ）の各々を一方向に時系列に前記操作画面（３０）に表示し、前記操作画面（３０）に表示された前記複数の動画像データ（１０−１）（１０−２）（１０−３）…（１０−ｍ）の各々に対して垂直方向にカットポイントバー（３２）を前記操作画面（３０）に表示する（Ｓ６；Ｓ３１、Ｓ３２）。
前記ユーザ指定制御部（１５）は、ユーザによる前記選別調整指示に応じて、前記操作画面（３０）に表示された前記複数の動画像データ（１０−１）（１０−２）（１０−３）…（１０−ｍ）の各々の複数の位置に前記カットポイントバー（３２）をそれぞれ指定し、前記操作画面（３０）に表示された前記複数の動画像データ（１０−１）（１０−２）（１０−３）…（１０−ｍ）の各々に対して、前記複数の位置をそれぞれ複数の指定位置（５０）として付与する（Ｓ６；Ｓ３３〜Ｓ３７）。
前記ユーザ指定制御部（１５）は、前記複数の指定位置（５０）に基づいて、前記操作画面（３０）に表示された前記複数の動画像データ（１０−１）（１０−２）（１０−３）…（１０−ｍ）の各々を前記複数の候補動画像データ（２０−１−１〜２０−１−ｎ）（２０−２−１〜２０−２−ｎ）（２０−３−１〜２０−３−ｎ）（２０−４−１〜２０−４−ｎ）に選別する（Ｓ６；Ｓ３８、Ｓ３９）。
【００１４】
このように、本発明の動画像編集装置によれば、ユーザは、複数の動画像データ（１０−１）（１０−２）（１０−３）…（１０−ｍ）の各々を編集するときに、操作画面（３０）を参照しながら選択調整指示を行なって、操作画面（３０）に表示された複数の動画像データ（１０−１）（１０−２）（１０−３）…（１０−ｍ）の各々を複数の候補動画像データ（２０−１−１〜２０−１−ｎ）（２０−２−１〜２０−２−ｎ）（２０−３−１〜２０−３−ｎ）（２０−４−１〜２０−４−ｎ）に選別する。これにより、ユーザは、操作画面（３０）を参照しながらエリア指定調整指示を１回行なったときに、操作画面（３０）に表示された複数の動画像データ（１０−１）（１０−２）（１０−３）…（１０−ｍ）の各々に対してユーザ指定不要動画像データ（２０−１−２、２０−１−４、…、２０−１−ｎ）（２０−２−２、２０−２−４、…、２０−２−ｎ）（２０−３−２、２０−３−４、…、２０−３−ｎ）（２０−４−２、２０−４−４、…、２０−４−ｎ）を１回で指定することができる。
【００１５】
本発明の動画像編集装置において、前記ユーザ指定制御部（１５）は、ユーザによる前記選別調整指示に応じて、前記操作画面（３０）に表示された前記複数の動画像データ（１０−１）（１０−２）（１０−３）…（１０−ｍ）の各々の前記複数の位置に前記カットポイントバー（３２）をそれぞれ自動的に指定するオートアジャスト処理を実行する（Ｓ６；Ｓ３６）。
本発明の動画像編集装置によれば、編集時間を更に短縮するために、オートアジャスト処理を実行することが好ましい。
【００１６】
本発明の動画像編集装置において、前記ユーザ指定不要動画像データ（２０−１−２、２０−１−４、…、２０−１−ｎ）（２０−２−２、２０−２−４、…、２０−２−ｎ）（２０−３−２、２０−３−４、…、２０−３−ｎ）（２０−４−２、２０−４−４、…、２０−４−ｎ）は、ユーザが不要と判断した動画データの部分、例えばコマーシャルを表している。
【００１７】
本発明の動画像編集装置において、前記複数の動画像データ（１０−１）（１０−２）（１０−３）…（１０−ｍ）の各々は、定期的に同じ時間帯に同じ放送局よりテレビ放送された番組を録画したときの録画データである。
【発明の効果】
【００１８】
本発明の動画像編集装置によれば、動画像データを編集するための編集時間を短縮することができ、且つ、動画像データを再生表示したときの再生時間を短縮することができる。
【発明を実施するための最良の形態】
【００１９】
以下に添付図面を参照して、本発明の動画像編集装置について詳細に説明する。
【００２０】
図１は、本発明の動画像編集装置の構成を示している。本発明の動画像編集装置は、制御装置１、表示装置２、記憶装置３、操作装置４を具備している。制御装置１は、表示装置２、記憶装置３、操作装置４に接続されている。また、制御装置１には、音声出力用のスピーカ（図示しない）が設けられている。記憶装置３としてはハードディスクレコーダーが例示される。操作装置４は、キーボード、ポインティングデバイス、リモートコントロール（リモコン）を含んでいる。
【００２１】
図２は、本発明の動画像編集装置の記憶装置３に格納される内容を示している。記憶装置３には、テレビ放送用の複数の動画像データ１０−１〜１０−ｍ（ｍは１以上の整数）が格納されている。動画像データ１０−１〜１０−ｍは、テレビ放送された番組を録画したときの録画データである。動画像データ１０−ｉ（ｉ＝１、２、３、４、…、ｍ）は、動画像データ１０−ｉを識別するために付けられたファイル名（番組名）と、複数の静止画像データと、第１番目から最終番目までの静止画像データを録画したときの録画時間と、音声を波形で表した音声波形データとを含んでいる。動画像データ１０−ｉが編集された場合、記憶装置３には、後述のユーザ指定不要動画像データが指定された動画像データ１０−ｉが編集動画像データ２０−ｉとして格納される。このとき、編集動画像データ２０−ｉの再生用動画像データとして、ユーザ指定不要動画像データ以外の編集結果動画像データ８０−ｉが格納される。
【００２２】
図３は、本発明の動画像編集装置の制御装置１の構成を示している。制御装置１は、コンピュータであり、ＣＰＵ（Ｃｅｎｔｒａｌ  Ｐｒｏｃｅｓｓｉｎｇ  Ｕｎｉｔ）１１、記憶部１２を具備する。記憶部１２には、ＣＰＵ１１が実行するためのコンピュータプログラム１３が格納されている。コンピュータプログラム１３は、操作画面表示制御部１４、ユーザ指定制御部１５、格納制御部１６、再生表示制御部１７を含んでいる。ユーザが動画像データ１０−１〜１０−４を編集するときに、操作画面表示制御部１４、ユーザ指定制御部１５、格納制御部１６は、ユーザの操作装置４による指示に応じて、簡単編集処理、又は、高度編集処理を実行する。簡単編集処理、高度編集処理の概念について説明する。
【００２３】
まず、前提条件として、記憶装置３に格納された動画像データ１０−１〜１０−４は、定期的に同じ時間帯に同じ放送局より放送された番組を録画したときの録画データである。例えば、記憶装置３に格納された動画像データ１０−１〜１０−４は、毎週同じ曜日、同じ時間帯に放送された番組であり、それぞれ第１週目の番組、第２週目の番組、第３週目の番組、第４週目の番組を録画したときの録画データであるものとする。動画像データ１０−１〜１０−４は、それぞれ、番組名として“録画番組Ａ”、“録画番組Ｂ”、“録画番組Ｃ”、“録画番組Ｄ”を表している。図４に示されるように、動画像データ１０−１〜１０−４の各々は、ユーザが不要と判断した動画データの部分、例えばコマーシャル（ＣＭ）を含み、コマーシャルが放送される時間帯は、ほとんど同じである。
図５に示されるように、動画像データ１０−１、１０−２、１０−３、１０−４をそれぞれ複数の候補動画像データ２０−１−１〜２０−１−ｎ（ｎは２以上の整数）、２０−２−１〜２０−２−ｎ、２０−３−１〜２０−３−ｎ、２０−４−１〜２０−４−ｎで表したとき、偶数番目の候補動画像データは、不要と判断した動画データであるものとする。
【００２４】
次に、簡単編集処理の概念について図５を用いて説明する。簡単編集処理は、コンピュータに不慣れなユーザが動画像データ１０−１〜１０−４を編集するときに最適な処理である。
【００２５】
ユーザは、操作装置４を用いて、簡単編集処理指示を制御装置１に行なう。このとき、制御装置１の操作画面表示制御部１４は、ユーザによる簡単編集処理指示に応じて、簡単編集処理を実行することを認識する。次に、ユーザは、操作装置４を用いて、画像表示指示を制御装置１に行なう。操作画面表示制御部１４は、ユーザによる画像表示指示に応じて、記憶装置３に格納された動画像データ１０−１〜１０−４を表す操作画面を表示装置２に表示する。
ユーザは、操作装置４を用いて、調整指示を制御装置１に行なう。このとき、制御装置１のユーザ指定制御部１５は、ユーザによる調整指示に応じて、操作画面に表示された動画像データ１０−１〜１０−４の各々に対してユーザ指定不要動画像データを（ｎ／２）回に分けて指定する。例えば、ユーザは、１回目の調整指示により、動画像データ１０−１、１０−２、１０−３、１０−４から、それぞれ候補動画像データ２０−１−２、２０−２−２、２０−３−２、２０−４−２を選別し、第１ユーザ指定不要動画像データとして指定する。次に、ユーザは、２回目の調整指示により、動画像データ１０−１、１０−２、１０−３、１０−４から、それぞれ候補動画像データ２０−１−４、２０−２−４、２０−３−４、２０−４−４を選別し、第２ユーザ指定不要動画像データとして指定する。
ユーザは、操作装置４を用いて、格納指示を制御装置１に行なう。このとき、制御装置１の格納制御部１６は、ユーザによる格納指示に応じて、ユーザ指定不要動画像データが指定された動画像データ１０−１〜１０−４をそれぞれ編集動画像データ２０−１〜２０−４として記憶装置３に格納する。このとき、編集動画像データ２０−１〜２０−４の再生用動画像データとして、ユーザ指定不要動画像データ以外の編集結果動画像データ８０−１〜８０−４をそれぞれ記憶装置３に格納する。
簡単編集処理により動画像データ１０−１、１０−２、１０−３、１０−４の各々を編集する編集時間は、動画像データ１０−１のみを編集する編集時間よりも短くなる。この場合、４つの動画像データを一度に編集しているため、編集時間が１／４に短縮される。このように、本発明の動画像編集装置によれば、簡単編集処理により編集時間を短縮することができる。
【００２６】
次に、高度編集処理の概念について図５を用いて説明する。高度編集処理は、コンピュータに慣れているユーザが動画像データ１０−１〜１０−４を編集するときに最適な処理である。
【００２７】
ユーザは、操作装置４を用いて、高度編集処理指示を制御装置１に行なう。このとき、制御装置１の操作画面表示制御部１４は、ユーザによる高度編集処理指示に応じて、高度編集処理を実行することを認識する。次に、ユーザは、操作装置４を用いて、画像表示指示を制御装置１に行なう。操作画面表示制御部１４は、ユーザによる画像表示指示に応じて、記憶装置３に格納された動画像データ１０−１〜１０−４を表す操作画面を表示装置２に表示する。
ユーザは、操作装置４を用いて、調整指示を制御装置１に行なう。このとき、制御装置１のユーザ指定制御部１５は、ユーザによる調整指示に応じて、操作画面に表示された動画像データ１０−１〜１０−４の各々に対してユーザ指定不要動画像データを１回で指定する。調整指示は、選別調整指示と、エリア指定調整指示とを含んでいる。例えば、ユーザは、選別調整指示により、動画像データ１０−１、１０−２、１０−３、１０−４から、それぞれ候補動画像データ２０−１−１〜２０−１−ｎ、２０−２−１〜２０−２−ｎ、２０−３−１〜２０−３−ｎ、２０−４−１〜２０−４−ｎを選別する。次に、ユーザは、エリア指定調整指示により、候補動画像データ２０−１−１〜２０−１−ｎ、２０−２−１〜２０−２−ｎ、２０−３−１〜２０−３−ｎ、２０−４−１〜２０−４−ｎのうち、それぞれ、奇数番目の候補動画像データと偶数番目の候補動画像データとの一方の候補動画像データ（本実施例では偶数番目の候補動画像データ）をユーザ指定不要動画像データとして指定する。
ユーザは、操作装置４を用いて、格納指示を制御装置１に行なう。このとき、制御装置１の格納制御部１６は、ユーザによる格納指示に応じて、ユーザ指定不要動画像データが指定された動画像データ１０−１〜１０−４をそれぞれ編集動画像データ２０−１〜２０−４として記憶装置３に格納する。このとき、編集動画像データ２０−１〜２０−４の再生用動画像データとして、ユーザ指定不要動画像データ以外の編集結果動画像データ８０−１〜８０−４をそれぞれ記憶装置３に格納する。
【００２８】
操作画面表示制御部１４、ユーザ指定制御部１５、格納制御部１６が簡単編集処理、又は、高度編集処理を実行した後に、ユーザは、操作装置４を用いて、例えば第１編集動画像データ再生指示を制御装置１に行なう。このとき、制御装置１の再生表示制御部１７は、ユーザによる第１編集動画像データ再生指示に応じて、記憶装置３に格納された編集動画像データ２０−１〜２０−４のうちの編集動画像データ２０−１を選択し、編集動画像データ２０−１の再生用動画像データとして編集結果動画像データ８０−１を表示装置２に再生表示する。即ち、編集動画像データ２０−１のうち、奇数番目の候補動画像データとして、ユーザ指定不要動画像データ以外の動画像データ２０−１−１、２０−１−３、２０−１−５、…、２０−１−（ｎ−１）を表示装置２に再生表示する。図６に示されるように、編集動画像データ２０−１のうち、ユーザ指定不要動画像データ以外の動画像データ２０−１−１、２０−１−３、２０−１−５、…、２０−１−（ｎ−１）を再生表示したときの再生時間は、編集動画像データ２０−１（動画像データ１０−１）を全て再生表示したときの再生時間（録画時間）よりも短くなる。このように、本発明の動画像編集装置は、再生時間を短縮することができる。
また、本発明の動画像編集装置によれば、簡単編集処理、又は、高度編集処理を実行した場合、動画像データ１０−１〜１０−４の各々を編集する編集時間は、動画像データ１０−１のみを編集する編集時間よりも短くなる。このように、本発明の動画像編集装置によれば、編集時間を短縮することができる。簡単編集処理、高度編集処理を実行した場合の詳細な効果については後述する。
【００２９】
本発明の動画像編集装置の動作（動画像編集方法）について説明する。図７は、本発明の動画像編集装置の動作を示すフローチャートである。ここで、前提条件は、上述と同じである。本発明の動画像編集装置の動作として、（Ａ）の場合と、（Ｂ）の場合とが挙げられる。
（Ａ）の場合とは、コンピュータに不慣れなユーザが“録画番組Ａ”、“録画番組Ｂ”、“録画番組Ｃ”、“録画番組Ｄ”を編集して、“録画番組Ａ”、“録画番組Ｂ”、“録画番組Ｃ”、“録画番組Ｄ”のいずれかを視聴する場合である。
（Ｂ）の場合とは、コンピュータに慣れているユーザが“録画番組Ａ”、“録画番組Ｂ”、“録画番組Ｃ”、“録画番組Ｄ”を編集して、“録画番組Ａ”、“録画番組Ｂ”、“録画番組Ｃ”、“録画番組Ｄ”のいずれかを視聴する場合である。
【００３０】
まず、（Ａ）の場合における、本発明の動画像編集装置の動作について説明する。
ユーザは、操作装置４を用いて、簡単編集処理指示を制御装置１に行なう（図７のステップＳ１−ＹＥＳ）。このとき、制御装置１の操作画面表示制御部１４、ユーザ指定制御部１５、格納制御部１６は、ユーザによる簡単編集処理指示に応じて、簡単編集処理を実行する（図７のステップＳ５）。
【００３１】
簡単編集処理（ステップＳ５）において、ユーザは、操作装置４を用いて、画像表示指示を制御装置１に行なう。このとき、操作画面表示制御部１４は、ユーザによる画像表示指示に応じて、動画像データ１０−１、１０−２、１０−３、１０−４を記憶装置３から読み出し（図８のステップＳ１１）、図１０に示されるような操作画面３０を表示装置２に表示する（図８のステップＳ１２）。操作画面３０は、番組名“録画番組Ａ”、“録画番組Ｂ”、“録画番組Ｃ”、“録画番組Ｄ”と、動画像データ１０−１、１０−２、１０−３、１０−４と、時間軸を表すタイムライン１０−１−Ｔ、１０−２−Ｔ、１０−３−Ｔ、１０−４−Ｔと、音声を波形で表した音声波形データ１０−１−Ｗ、１０−２−Ｗ、１０−３−Ｗ、１０−４−Ｗと、グローバルタイムラインＴと、表示時間間隔調節バー３１と、カットポイントバー３２とを含んでいる。
【００３２】
ステップＳ１２において、操作画面表示制御部１４は、番組名“録画番組Ａ”、“録画番組Ｂ”、“録画番組Ｃ”、“録画番組Ｄ”を操作画面３０に表示する。また、操作画面表示制御部１４は、操作画面３０に表示された番組名“録画番組Ａ”、“録画番組Ｂ”、“録画番組Ｃ”、“録画番組Ｄ”に対応して、ステップＳ１１にて読み出された動画像データ１０−１、１０−２、１０−３、１０−４の各々を一方向に操作画面３０に表示する。また、操作画面表示制御部１４は、動画像データ１０−１、１０−２、１０−３、１０−４を時系列で表示するために、操作画面３０に表示された動画像データ１０−１、１０−２、１０−３、１０−４に対応して、それぞれ、タイムライン１０−１−Ｔ、１０−２−Ｔ、１０−３−Ｔ、１０−４−Ｔを一方向に操作画面３０に表示する。これにより、ユーザは、操作画面３０に表示された動画像データ１０−１、１０−２、１０−３、１０−４に含まれる複数の静止画データを一度に見渡すことができ、その複数の静止画像データを参照して、“録画番組Ａ”、“録画番組Ｂ”、“録画番組Ｃ”、“録画番組Ｄ”内で不要動画像データの箇所を認識することができる。ユーザは、不要動画像データの箇所を認識する際、動画像データ１０−１、１０−２、１０−３、１０−４の複数の静止画像データのうちの対象静止画像データ７０に、不要動画像データへの移行を表すキーワード７３が映されている場合（図２１、図２２参照）、“録画番組Ａ”、“録画番組Ｂ”、“録画番組Ｃ”、“録画番組Ｄ”の必要動画像データと不要動画像データとの境目の箇所を認識することができる。
【００３３】
また、ステップＳ１２において、操作画面表示制御部１４は、操作画面３０に表示された動画像データ１０−１、１０−２、１０−３、１０−４に対応して、それぞれ、音声波形データ１０−１−Ｗ、１０−２−Ｗ、１０−３−Ｗ、１０−４−Ｗを一方向に操作画面３０に表示する。これにより、ユーザは、操作画面３０に表示された音声波形データ１０−１−Ｗ、１０−２−Ｗ、１０−３−Ｗ、１０−４−Ｗを一度に見渡すことができ、その音声波形データを参照して、“録画番組Ａ”、“録画番組Ｂ”、“録画番組Ｃ”、“録画番組Ｄ”の必要動画像データと不要動画像データとの境目の箇所を認識することができる。例えば、動画像データ１０−１、１０−２、１０−３、１０−４の複数の静止画像データのうちの対象静止画像データ７０に対応する音声波形データが、無音を表す波形７２である場合や、無音へ移行するようなフェードアウトを表す波形７１である場合（図２１参照）、“録画番組Ａ”、“録画番組Ｂ”、“録画番組Ｃ”、“録画番組Ｄ”の必要動画像データと不要動画像データとの境目の箇所を認識することができる。
【００３４】
また、ステップＳ１２において、操作画面表示制御部１４は、操作画面３０に表示された動画像データ１０−１、１０−２、１０−３、１０−４の各々に対応して、時間を表すグローバルタイムラインＴを一方向に操作画面３０に表示する。これにより、ユーザは、操作画面３０に表示されたタイムライン１０−１−Ｔ、１０−２−Ｔ、１０−３−Ｔ、１０−４−Ｔが表す時間と、操作画面３０に表示されたグローバルタイムラインＴが表す時間とのズレを視覚的に認識することができる。
【００３５】
また、ステップＳ１２において、操作画面表示制御部１４は、表示時間間隔調節バー３１を操作画面３０に表示し、操作画面３０に表示された動画像データ１０−１、１０−２、１０−３、１０−４の各々に対して垂直方向にカットポイントバー３２を操作画面３０に表示する。ユーザは、操作画面３０に表示された動画像データ１０−１、１０−２、１０−３、１０−４の各々の位置にカットポイントバー３２を指定することにより、“録画番組Ａ”、“録画番組Ｂ”、“録画番組Ｃ”、“録画番組Ｄ”の必要動画像データと不要動画像データとの境目の箇所を指定することができる。
【００３６】
制御装置１のユーザ指定制御部１５は、変数Ｊを１にする（図８のステップＳ１３）。ユーザは、動画像データ１０−１、１０−２、１０−３、１０−４のうち、上記の候補動画像データ２０−１−２、２０−２−２、２０−３−２、２０−４−２をユーザ指定不要動画像データとして指定する場合、操作装置４を用いて、調整指示を行なう。
【００３７】
まず、ユーザは、操作装置４を用いて、上記の調整指示として表示時間間隔調節バー３１を操作して拡大・縮小表示指示を行なう。このとき、ユーザ指定制御部１５は、カットポイントバー３２を基準として動画像データ１０−１、１０−２、１０−３、１０−４を拡大・縮小表示する（図８のステップＳ１４）。例えば、ユーザは、“録画番組Ａ”、“録画番組Ｂ”、“録画番組Ｃ”、“録画番組Ｄ”の必要動画像データと不要動画像データとの境目の箇所を参照するために、操作装置４を用いて、表示時間間隔調節バー３１を操作して拡大・縮小表示指示を行なう。このとき、ユーザ指定制御部１５は、カットポイントバー３２を基準として動画像データ１０−１、１０−２、１０−３、１０−４を拡大表示する。ここで、動画像データ１０−１、１０−２に含まれる静止画像データが７８秒分だけ操作画面３０に表示されているときに、表示時間間隔調節バー３１により拡大表示指示が行なわれた場合、７８秒分の静止画像データのうち、カットポイントバー３２を基準とする２６秒分の静止画像データが拡大表示される（図１１、図１２参照）。
【００３８】
ユーザは、操作装置４を用いて、上記の調整指示としてカットポイントバー３２を操作する。このとき、ユーザ指定制御部１５は、ユーザによるカットポイントバー３２の操作に応じて、カットポイントバー３２を操作画面３０上で移動させて、操作画面３０に表示された動画像データ１０−１、１０−２、１０−３、１０−４の各々の位置にカットポイントバー３２を指定する（図８のステップＳ１５）。ユーザは、操作画面３０上のカットポイントバー３２を目視して、操作画面３０上のカットポイントバー３２の位置が適切ではないと判断した場合（図８のステップＳ１６−ＮＯ）、操作装置４を用いて、ステップＳ１４、Ｓ１５を制御装置１に実行させる操作を行なう。ユーザは、操作画面３０上のカットポイントバー３２を目視して、操作画面３０上のカットポイントバー３２の位置が適切であると判断した場合（図８のステップＳ１６−ＹＥＳ）、操作装置４を用いて、上記の調整指示として第１指定位置調整指示を行なう。このとき、図１３に示されるように、ユーザ指定制御部１５は、ユーザによる第１指定位置調整指示に応じて、操作画面３０に表示された動画像データ１０−１、１０−２、１０−３、１０−４の各々に対して、カットポイントバー３２が指定された位置を第１指定位置４１として付与する（図８のステップＳ１７）。即ち、第１指定位置４１は、操作画面３０に表示されたタイムライン１０−１−Ｔ、１０−２−Ｔ、１０−３−Ｔ、１０−４−Ｔの各々に対して、カットポイントバー３２が指定された時間を表している。
【００３９】
次に、ユーザ指定制御部１５は、変数Ｊを２にする（図８のステップＳ１８−ＮＯ、Ｓ１９）。ユーザは、操作装置４を用いて、ステップＳ１４〜Ｓ１６を制御装置１に実行させる操作を行なった結果、操作画面３０上のカットポイントバー３２の位置が適切であると判断した場合（図８のステップＳ１６−ＹＥＳ）、操作装置４を用いて、上記の調整指示として第２指定位置調整指示を行なう。このとき、図１４に示されるように、ユーザ指定制御部１５は、ユーザによる第２指定位置調整指示に応じて、操作画面３０に表示された動画像データ１０−１、１０−２、１０−３、１０−４の各々に対して、カットポイントバー３２が指定された位置を第２指定位置４２として付与する（図８のステップＳ１７）。即ち、第２指定位置４２は、操作画面３０に表示されたタイムライン１０−１−Ｔ、１０−２−Ｔ、１０−３−Ｔ、１０−４−Ｔの各々に対して、カットポイントバー３２が指定された時間を表している。
【００４０】
図１４に示されるように、ユーザ指定制御部１５は、第１指定位置４１と第２指定位置４２とに基づいて、操作画面３０に表示された動画像データ１０−１、１０−２、１０−３、１０−４に対して、それぞれ、第１指定位置４１と第２指定位置４２との間の動画像データである候補動画像データ２０−１−２、２０−２−２、２０−３−２、２０−４−２をユーザ指定不要動画像データとして指定する（図８のステップＳ１８−ＹＥＳ、Ｓ２０）。
【００４１】
次に、ユーザ指定制御部１５は、操作画面３０に表示された動画像データ１０−１、１０−２、１０−３、１０−４のうち、ユーザ指定不要動画像データ以外の動画像データを表すプレビュー画面（図示しない）を表示する。ユーザは、プレビュー画面を参照して、編集を続ける場合、プレビューの結果に満足せずに再度編集を続ける場合（図８のステップＳ２１−ＹＥＳ）、操作装置４を用いて、ステップＳ１３〜Ｓ２１を制御装置１に実行させる操作を行なう。
その後、ユーザは、“録画番組Ａ”、“録画番組Ｂ”、“録画番組Ｃ”、“録画番組Ｄ”の編集が完了したと判断した場合（図８のステップＳ２１−ＮＯ）、操作装置４を用いて、格納指示を制御装置１に行なう（図９のステップＳ２２−ＹＥＳ）。このとき、制御装置１の格納制御部１６は、ユーザによる格納指示に応じて、ユーザ指定不要動画像データが指定された動画像データ１０−１、１０−２、１０−３、１０−４をそれぞれ編集動画像データ２０−１、２０−２、２０−３、２０−４として記憶装置３に格納する。このとき、編集動画像データ２０−１、２０−２、２０−３、２０−４の再生用動画像データとして、ユーザ指定不要動画像データ以外の編集結果動画像データ８０−１、８０−２、８０−３、８０−４をそれぞれ記憶装置３に格納する（図９のステップＳ２３）。
ステップＳ２３にて、ここで、編集動画像データ２０−１は、記憶装置３に既に格納されている動画像データ１０−１と、動画像データ１０−１に指定されたユーザ指定不要動画像データ２０−１−２、２０−１−４、…を表すユーザ指定不要動画像情報とを含み、そのユーザ指定不要動画像情報は、第１指定位置４１、第２指定位置４２を含んでいる。編集動画像データ２０−２は、記憶装置３に既に格納されている動画像データ１０−２と、動画像データ１０−２に指定されたユーザ指定不要動画像データ２０−２−２、２０−２−４、…を表すユーザ指定不要動画像情報とを含み、そのユーザ指定不要動画像情報は、第１指定位置４１、第２指定位置４２を含んでいる。編集動画像データ２０−３は、記憶装置３に既に格納されている動画像データ１０−３と、動画像データ１０−３に指定されたユーザ指定不要動画像データ２０−３−２、２０−３−４、…を表すユーザ指定不要動画像情報とを含み、そのユーザ指定不要動画像情報は、第１指定位置４１、第２指定位置４２を含んでいる。編集動画像データ２０−４は、記憶装置３に既に格納されている動画像データ１０−４と、動画像データ１０−４に指定されたユーザ指定不要動画像データ２０−４−２、２０−４−４、…を表すユーザ指定不要動画像情報とを含み、そのユーザ指定不要動画像情報は、第１指定位置４１、第２指定位置４２を含んでいる。
【００４２】
なお、ステップＳ２０にて、ユーザ指定制御部１５は、ユーザ指定不要動画像として候補動画像データ２０−１−２、２０−２−２、２０−３−２、２０−４−２を指定したとき、第１指定位置４１、第２指定位置４２に対応して指定履歴位置４０−１、４０−２を操作画面３０のグローバルタイムラインＴ上に表示する。また、候補動画像データ２０−１−４、２０−２−４、２０−３−４、２０−４−４を指定したとき、第１指定位置４１、第２指定位置４２に対応して指定履歴位置４０−３、４０−４を操作画面３０のグローバルタイムラインＴ上に表示する。ステップＳ２３にて、格納制御部１６は、指定履歴位置４０−１、４０−２、４０−３、４０−４を記憶装置３に格納する。これにより、ユーザが簡単編集処理（ステップＳ５）を制御装置１に再度実行させるときに、制御装置１は、ステップＳ１５におけるカットポイントバー３２の移動を支援することができる。この場合、操作画面表示制御部１４は、ステップＳ１１にて、記憶装置３に格納された指定履歴位置４０−１、４０−２、４０−３、４０−４を読み出し、ステップＳ１２にて、操作画面３０のグローバルタイムラインＴ上に指定履歴位置４０−１、４０−２、４０−３、４０−４を表示する。
【００４３】
また、ステップＳ１３〜Ｓ２１にて、ユーザ指定不要動画像データを誤って指定した場合、即ち、第１指定位置４１、第２指定位置４２を誤って指定した場合、ユーザは、操作装置４を用いて、ステップＳ１３〜Ｓ２１を制御装置１に実行させる操作を行なうことにより、上記の誤りを修復できる。
また、簡単編集処理（ステップＳ５）において、ユーザ指定不要動画像データを誤って指定（第１指定位置４１、第２指定位置４２を誤って指定）したまま、編集動画像データ２０−１を記憶装置３に格納した場合でも、上記の誤りを修復できる。動画像データ１０−１は記憶装置３に格納されているため、ユーザは、操作装置４を用いて、誤った編集動画像データ２０−１を記憶装置３から削除し、簡単編集処理（ステップＳ５）を制御装置１に実行させる操作を行なえばよい。
【００４４】
簡単編集処理（ステップＳ５）を実行した後に、ユーザが“録画番組Ａ”を不要動画像データなしで視聴する場合、ユーザは、操作装置４を用いて、第１編集動画像データ再生指示を制御装置１に行なう（図７のステップＳ１−ＮＯ、Ｓ２−ＮＯ、Ｓ３−ＹＥＳ）。このとき、制御装置１の再生表示制御部１７は、ユーザによる第１編集動画像データ再生指示に応じて、記憶装置３に格納された編集動画像データ２０−１を選択し、編集動画像データ２０−１の再生用動画像データとして編集結果動画像データ８０−１を表示装置２に再生表示する。即ち、再生表示制御部１７は、編集動画像データ２０−１に含まれるユーザ指定不要動画像情報に従って、編集動画像データ２０−１の候補動画像データ２０−１−１〜２０−１−ｎのうち、奇数番目の候補動画像データ２０−１−１、２０−１−３、２０−１−５、…、２０−１−（ｎ−１）を表示装置２に再生表示する（図７のステップＳ７）。
一方、ユーザが“録画番組Ａ”を不要動画像データ込みで視聴する場合、再生表示制御部１７は、ユーザによる第１動画像データ再生指示に応じて、記憶装置３に格納された動画像データ１０−１を表示装置２に再生表示する（図７のステップＳ１−ＮＯ、Ｓ２−ＮＯ、Ｓ３−ＮＯ、Ｓ４−ＹＥＳ）。
【００４５】
本発明の動画像編集装置では、簡単編集処理（ステップＳ５）を実行した場合、編集動画像データ２０−１の奇数番目の候補動画像データ２０−１−１、２０−１−３、２０−１−５、…、２０−１−（ｎ−１）を再生表示したときの再生時間は、動画像データ１０−１を全て再生表示したときの再生時間よりも短くなる。このように、本発明の動画像編集装置は、再生時間を短縮することができる。
【００４６】
また、本発明の動画像編集装置によれば、簡単編集処理（ステップＳ５）は、上述のように、コンピュータに不慣れなユーザが動画像データ１０−１、１０−２、１０−３、…、１０−ｍの各々を編集するときに最適な処理である。ユーザは、動画像データ１０−１、１０−２、１０−３、…、１０−ｍの各々を編集するときに、操作画面３０を参照しながら調整指示を行ない、操作画面３０に表示された動画像データ１０−１、１０−２、１０−３、…、１０−ｍの各々に対してユーザ指定不要動画像データを（ｎ／２）回に分けて指定すればよい。
この場合、簡単編集処理（ステップＳ５）により動画像データ１０−１、１０−２、１０−３、…、１０−ｍの各々を（ｎ／２）回に分けて編集する編集時間は、動画像データ１０−１のみを（ｎ／２）回に分けて編集する編集時間よりも短くなる。即ち、動画像データ１０−１、１０−２、１０−３、…、１０−ｍの各々を編集する編集時間は１／ｍに短縮される。このように、本発明の動画像編集装置によれば、簡単編集処理（ステップＳ５）により編集時間を短縮することができる。
【００４７】
次に、（Ｂ）の場合における、本発明の動画像編集装置の動作について説明する。
ユーザは、操作装置４を用いて、高度編集処理指示を制御装置１に行なう（図７のステップＳ１−ＮＯ、Ｓ２−ＹＥＳ）。このとき、制御装置１の操作画面表示制御部１４、ユーザ指定制御部１５、格納制御部１６は、ユーザによる高度編集処理指示に応じて、高度編集処理を実行する（図７のステップＳ６）。
【００４８】
高度編集処理（ステップＳ６）において、ユーザは、操作装置４を用いて、画像表示指示を制御装置１に行なう。このとき、操作画面表示制御部１４は、ユーザによる画像表示指示に応じて、動画像データ１０−１、１０−２、１０−３、１０−４を記憶装置３から読み出し（図１５のステップＳ３１）、図１０に示されるような操作画面３０を表示装置２に表示する（図１５のステップＳ３２）。ここで、ステップＳ３１、Ｓ３２は、上述した図８のステップＳ１１、Ｓ１２と同じ処理である。
【００４９】
ユーザは、動画像データ１０−１、１０−２、１０−３、１０−４のうち、上記の候補動画像データ２０−１−１、２０−２−１、２０−３−１、２０−４−１を選別する場合、操作装置４を用いて、調整指示として選別調整指示を行なう。
【００５０】
まず、ユーザは、操作装置４を用いて、上記の選別調整指示として表示時間間隔調節バー３１を操作して拡大・縮小表示指示を行なう。このとき、ユーザ指定制御部１５は、カットポイントバー３２を基準として動画像データ１０−１、１０−２、１０−３、１０−４を拡大・縮小表示する（図１５のステップＳ３３）。ここで、ステップＳ３３は、上述した図８のステップＳ１４と同じ処理である（図１１、図１２参照）。
【００５１】
ユーザは、操作装置４を用いて、上記の選別調整指示としてカットポイントバー３２を操作する。このとき、ユーザ指定制御部１５は、ユーザによるカットポイントバー３２の操作に応じて、カットポイントバー３２を操作画面３０上で移動させて、操作画面３０に表示された動画像データ１０−１、１０−２、１０−３、１０−４の各々の位置にカットポイントバー３２を指定する（図１５のステップＳ３４）。ここで、ステップＳ３４は、上述した図８のステップＳ１５と同じ処理である。ユーザは、操作画面３０上のカットポイントバー３２を目視して、操作画面３０上のカットポイントバー３２の位置が適切ではないと判断した場合（図１５のステップＳ３５−ＮＯ）、操作装置４を用いて、ステップＳ３３、Ｓ３４を制御装置１に実行させる操作を行なう。ユーザは、操作画面３０上のカットポイントバー３２を目視して、操作画面３０上のカットポイントバー３２の位置が適切であると判断した場合（図１５のステップＳ３５−ＹＥＳ）、操作装置４を用いて、上記の選別調整指示としてオートアジャスト実行指示を行なう。このとき、ユーザ指定制御部１５は、ユーザによるオートアジャスト実行指示に応じて、オートアジャスト処理を実行する（ステップＳ３６）。
【００５２】
オートアジャスト処理（ステップＳ３６）において、ユーザ指定制御部１５は、操作画面３０に表示された動画像データ１０−１、１０−２、１０−３、１０−４の各々の位置にカットポイントバー３２を自動的に指定する。例えば同じ時刻に放送される“番組Ａ”、“番組Ｂ”、“番組Ｃ”、“番組Ｄ”をそれぞれ“録画番組Ａ”、“録画番組Ｂ”、“録画番組Ｃ”、“録画番組Ｄ”として録画したとき、録画を開始した時刻が異なる場合がある。この場合、“録画番組Ａ”、“録画番組Ｂ”、“録画番組Ｃ”、“録画番組Ｄ”内で放送される不要動画像データの時間帯がズレる。このため、ユーザ指定制御部１５は、操作画面３０に表示された動画像データ１０−１、１０−２、１０−３、１０−４の各々の必要動画像データを表す静止画像データ７０（図２１参照）と不要動画像データを表す静止画像データとの境目をシーン検出する。シーン検出としては、音声切替検出、無音部分検出、音声切替部分検出、画面変化検出が挙げられる。
音声切替検出では、動画像データ１０−１、１０−２、１０−３、１０−４の複数の静止画像データのうち、対応する音声波形データが表す音声がステレオ音声からモノラル音声に切り替わるときの静止画像データを検出する。また、動画像データ１０−１、１０−２、１０−３、１０−４の複数の静止画像データのうち、対応する音声波形データが表す音声がモノラル音声からステレオ音声に切り替わるときの静止画像データを検出する。無音部分検出では、動画像データ１０−１、１０−２、１０−３、１０−４の複数の静止画像データのうち、無音を表す波形７２である音声波形データに対応する静止画像データ７０を検出する（図２１参照）。音声切替部分検出では、動画像データ１０−１、１０−２、１０−３、１０−４の複数の静止画像データのうち、フェードアウトを表す波形７１である音声波形データに対応する静止画像データ７０を検出する（図２１参照）。画面変化検出では、動画像データ１０−１、１０−２、１０−３、１０−４の複数の静止画像データのうち、不要動画像データへの移行を表すキーワード７３が映されている静止画像データ７０を検出する（図２２参照）。
図１７に示されるように、ユーザ指定制御部１５は、操作画面３０に表示された動画像データ１０−１、１０−２、１０−３、１０−４の各々の必要動画像データを表す静止画像データ７０（図２１参照）と不要動画像データを表す静止画像データとの境目にカットポイントバー３２が指定されるように、操作画面３０に表示された動画像データ１０−１、１０−２、１０−３、１０−４の各々を移動させる。ここで、ユーザ指定制御部１５は、操作画面３０に表示された動画像データ１０−３を移動させるとき、その動画像データ１０−３に対して平行な第１方向５１、又は、第１方向５１とは反対の第２方向５２に平行移動させる。
【００５３】
次に、ユーザは、操作装置４を用いて、上記の選別調整指示を行なう。ステップＳ３６にて実行されたシーン検出が有効ではない場合がある。その場合、ユーザは、操作画面３０に表示された動画像データ１０−１、１０−２、１０−３、１０−４の各々の必要動画像データを表す静止画像データと不要動画像データを表す静止画像データとの境目を目視によりシーン検出する。ユーザは、操作装置４を用いて、その境目にカットポイントバー３２が指定されるように、操作画面３０に表示された動画像データ１０−１、１０−２、１０−３、１０−４の各々を移動させる。このようにして、ユーザは、操作画面３０に表示された動画像データ１０−１、１０−２、１０−３、１０−４の各々の指定位置を微調整する（図１５のステップＳ３８）。
その後、ユーザは、操作画面３０に表示された動画像データ１０−１、１０−２、１０−３、１０−４の各々の指定位置を目視して、その指定位置がフレーム単位で適切ではないと判断した場合（図１５のステップＳ３９−ＮＯ）、操作装置４を用いて、ステップＳ３８を制御装置１に実行させる。
【００５４】
ユーザは、操作画面３０に表示された動画像データ１０−１、１０−２、１０−３、１０−４の各々の指定位置を目視して、動画像データ１０−１、１０−２、１０−３、１０−４の各々の指定位置５０がフレーム単位で適切であると判断する（図１５のステップＳ３９−ＹＥＳ）。
ユーザは、操作装置４を用いて、上記の選別調整指示として指定位置調整指示を行なう。このとき、図１８に示されるように、ユーザ指定制御部１５は、ユーザによる指定位置調整指示に応じて、操作画面３０に表示された動画像データ１０−１、１０−２、１０−３、１０−４の各々に対して、カットポイントバー３２が指定された位置を指定位置５０として付与する（図１５のステップＳ３７）。即ち、指定位置５０は、操作画面３０に表示されたタイムライン１０−１−Ｔ、１０−２−Ｔ、１０−３−Ｔ、１０−４−Ｔの各々に対して、カットポイントバー３２が指定された時間を表している。
ここで、必要に応じてユーザは、操作装置４を用いて、操作画面３０に表示された動画像データ１０−１、１０−２、１０−３、１０−４の各々を、グローバルタイムラインＴに合わせて移動（整列）させることができる（図１９参照）。この場合、ユーザ指定制御部１５は、ユーザによる操作装置４の操作に応じて、グローバルタイムラインＴに合わせるように、その動画像データ１０−１、１０−２、１０−３、１０−４を第２方向５２に平行移動させる。
【００５５】
その後、ユーザは、動画像データ１０−１、１０−２、１０−３、１０−４のうち、上記の候補動画像データ２０−１−２、２０−２−２、２０−３−２、２０−４−２を選別する場合（図１５のステップＳ４０−ＹＥＳ）（図１５のステップＳ４０−ＮＯ、Ｓ４１−ＮＯ）、操作装置４を用いて、ステップＳ３３〜Ｓ４０を制御装置１に実行させる操作を行なう。更に、ユーザは、動画像データ１０−１、１０−２、１０−３、１０−４のうち、上記の候補動画像データ２０−１−３、２０−２−３、２０−３−３、２０−４−３を選別する場合（ステップＳ４０−ＹＥＳ）、操作装置４を用いて、ステップＳ３３〜Ｓ４０を制御装置１に実行させる操作を行なう。更に、ユーザは、動画像データ１０−１、１０−２、１０−３、１０−４のうち、上記の候補動画像データ２０−１−４、２０−２−４、２０−３−４、２０−４−４を選別する場合（ステップＳ４０−ＹＥＳ）、操作装置４を用いて、ステップＳ３３〜Ｓ４０を制御装置１に実行させる操作を行なう。
【００５６】
次に、ユーザは、動画像データ１０−１、１０−２、１０−３、１０−４から、それぞれ候補動画像データ２０−１−１〜２０−１−ｎ、２０−２−１〜２０−２−ｎ、２０−３−１〜２０−３−ｎ、２０−４−１〜２０−４−ｎを選別する処理が完了したと判断した場合（図１６のステップＳ４１−ＹＥＳ）、操作装置４を用いて、奇数又は偶数を表すエリア指定調整指示を制御装置１に行なう（図１６のステップＳ４２）。エリア指定調整指示が奇数を表す場合（図１６のステップＳ４２−ＹＥＳ）、ユーザ指定制御部１５は、動画像データ１０−１、１０−２、１０−３、１０−４の各々の複数の候補動画像データのうち、奇数番目の候補動画像データをユーザ指定不要動画像データとして指定する（図１６のステップＳ４３）。
上述のように、動画像データ１０−１、１０−２、１０−３、１０−４の各々の複数の候補動画像データのうち、偶数番目の候補動画像データは、不要動画像データを表している。このため、エリア指定調整指示は偶数を表している（図１６のステップＳ４２−ＮＯ）。この場合、図２０に示されるように、ユーザ指定制御部１５は、動画像データ１０−１の候補動画像データ２０−１−１〜２０−１−ｎのうち、候補動画像データ２０−１−２、２０−１−４、…、２０−１−ｎをユーザ指定不要動画像データとして指定する。ユーザ指定制御部１５は、動画像データ１０−２の候補動画像データ２０−２−１〜２０−２−ｎのうち、候補動画像データ２０−２−２、２０−２−４、…、２０−２−ｎをユーザ指定不要動画像データとして指定する。ユーザ指定制御部１５は、動画像データ１０−３の候補動画像データ２０−３−１〜２０−３−ｎのうち、候補動画像データ２０−３−２、２０−３−４、…、２０−３−ｎをユーザ指定不要動画像データとして指定する。ユーザ指定制御部１５は、動画像データ１０−４の候補動画像データ２０−４−１〜２０−４−ｎのうち、候補動画像データ２０−４−２、２０−４−４、…、２０−４−ｎをユーザ指定不要動画像データとして指定する。
【００５７】
ユーザ指定制御部１５は、操作画面３０に表示された動画像データ１０−１、１０−２、１０−３、１０−４のうち、ユーザ指定不要動画像データ以外の動画像データを表すプレビュー画面（図示しない）を表示する。ユーザは、プレビュー画面を参照して、編集を続ける場合、プレビューの結果に満足せずに再度編集を続ける場合（図１６のステップＳ４７−ＹＥＳ）、操作装置４を用いて、ステップＳ３３〜Ｓ４４、Ｓ４７を制御装置１に実行させる操作を行なう。
その後、ユーザは、“録画番組Ａ”、“録画番組Ｂ”、“録画番組Ｃ”、“録画番組Ｄ”の編集が完了したと判断した場合（図１６のステップＳ４７−ＮＯ）、操作装置４を用いて、格納指示を制御装置１に行なう（図１６のステップＳ４５−ＹＥＳ）。このとき、制御装置１の格納制御部１６は、ユーザによる格納指示に応じて、ユーザ指定不要動画像データが指定された動画像データ１０−１、１０−２、１０−３、１０−４をそれぞれ編集動画像データ２０−１、２０−２、２０−３、２０−４として記憶装置３に格納する。このとき、編集動画像データ２０−１、２０−２、２０−３、２０−４の再生用動画像データとして、ユーザ指定不要動画像データ以外の編集結果動画像データ８０−１、８０−２、８０−３、８０−４をそれぞれ記憶装置３に格納する（図１６のステップＳ４６）。
ステップＳ４６にて、ここで、編集動画像データ２０−１は、記憶装置３に既に格納されている動画像データ１０−１と、動画像データ１０−１に指定されたユーザ指定不要動画像データ２０−１−２、２０−１−４、…、２０−１−ｎを表すユーザ指定不要動画像情報とを含み、そのユーザ指定不要動画像情報は、指定位置５０を含んでいる。編集動画像データ２０−２は、記憶装置３に既に格納されている動画像データ１０−２と、動画像データ１０−２に指定されたユーザ指定不要動画像データ２０−２−２、２０−２−４、…、２０−２−ｎを表すユーザ指定不要動画像情報とを含み、そのユーザ指定不要動画像情報は、指定位置５０を含んでいる。編集動画像データ２０−３は、記憶装置３に既に格納されている動画像データ１０−３と、動画像データ１０−３に指定されたユーザ指定不要動画像データ２０−３−２、２０−３−４、…、２０−３−ｎを表すユーザ指定不要動画像情報とを含み、そのユーザ指定不要動画像情報は、指定位置５０を含んでいる。編集動画像データ２０−４は、記憶装置３に既に格納されている動画像データ１０−４と、動画像データ１０−４に指定されたユーザ指定不要動画像データ２０−４−２、２０−４−４、…、２０−４−ｎを表すユーザ指定不要動画像情報とを含み、そのユーザ指定不要動画像情報は、指定位置５０を含んでいる。
【００５８】
なお、ユーザ指定制御部１５は、ステップＳ４４にて、ユーザ指定不要動画像として候補動画像データ２０−１−２、２０−２−２、２０−３−２、２０−４−２を指定したとき、指定位置５０、５０に対応して指定履歴位置５０−１、５０−２を操作画面３０のグローバルタイムラインＴ上に表示する。また、候補動画像データ２０−１−４、２０−２−４、２０−３−４、２０−４−４を指定したとき、指定位置５０、５０に対応して指定履歴位置５０−３、５０−４を操作画面３０のグローバルタイムラインＴ上に表示する。ステップＳ４６にて、格納制御部１６は、指定履歴位置５０−１、５０−２、５０−３、５０−４を記憶装置３に格納する。これにより、ユーザが高度編集処理（ステップＳ６）を制御装置１に再度実行させるときに、制御装置１は、ステップＳ３４におけるカットポイントバー３２の移動を支援することができる。この場合、操作画面表示制御部１４は、ステップＳ３１にて、記憶装置３に格納された指定履歴位置５０−１、５０−２、５０−３、５０−４を読み出し、ステップＳ３２にて、操作画面３０のグローバルタイムラインＴ上に指定履歴位置５０−１、５０−２、５０−３、５０−４を表示する。
【００５９】
また、ステップＳ３３〜Ｓ４４にて、ユーザ指定不要動画像データを誤って指定した場合、即ち、指定位置５０を誤って指定した場合、ユーザは、操作装置４を用いて、ステップＳ３３〜Ｓ４４を制御装置１に実行させる操作を行なうことにより、上記の誤りを修復できる。
また、高度編集処理（ステップＳ６）において、ユーザ指定不要動画像データを誤って指定（指定位置５０を誤って指定）したまま、編集動画像データ２０−１を記憶装置３に格納した場合でも、上記の誤りを修復できる。動画像データ１０−１は記憶装置３に格納されているため、ユーザは、操作装置４を用いて、誤った編集動画像データ２０−１を記憶装置３から削除し、高度編集処理（ステップＳ６）を制御装置１に実行させる操作を行なえばよい。
【００６０】
高度編集処理（ステップＳ６）を実行した後に、ユーザが“録画番組Ａ”を不要動画像データなしで視聴する場合、ユーザは、操作装置４を用いて、第１編集動画像データ再生指示を制御装置１に行なう（図７のステップＳ１−ＮＯ、Ｓ２−ＮＯ、Ｓ３−ＹＥＳ）。このとき、制御装置１の再生表示制御部１７は、ユーザによる第１編集動画像データ再生指示に応じて、記憶装置３に格納された編集動画像データ２０−１を選択し、編集動画像データ２０−１の再生用動画像データとして編集結果動画像データ８０−１を表示装置２に再生表示する。即ち、再生表示制御部１７は、編集動画像データ２０−１に含まれるユーザ指定不要動画像情報に従って、編集動画像データ２０−１の候補動画像データ２０−１−１〜２０−１−ｎのうち、奇数番目の候補動画像データ２０−１−１、２０−１−３、２０−１−５、…、２０−１−（ｎ−１）を表示装置２に再生表示する（図７のステップＳ７）。
一方、ユーザが“録画番組Ａ”を不要動画像データ込みで視聴する場合、再生表示制御部１７は、ユーザによる第１動画像データ再生指示に応じて、記憶装置３に格納された動画像データ１０−１を表示装置２に再生表示する（図７のステップＳ１−ＮＯ、Ｓ２−ＮＯ、Ｓ３−ＮＯ、Ｓ４−ＹＥＳ）。
【００６１】
本発明の動画像編集装置では、高度編集処理（ステップＳ６）を実行した場合、編集動画像データ２０−１の奇数番目の候補動画像データ２０−１−１、２０−１−３、２０−１−５、…、２０−１−（ｎ−１）を再生表示したときの再生時間は、動画像データ１０−１を全て再生表示したときの再生時間よりも短くなる。このように、本発明の動画像編集装置は、再生時間を短縮することができる。
【００６２】
また、本発明の動画像編集装置によれば、高度編集処理（ステップＳ６）は、上述のように、コンピュータに慣れているユーザが動画像データ１０−１、１０−２、１０−３、…、１０−ｍの各々を編集するときに最適な処理である。ユーザは、調整指示により、操作画面３０に表示された動画像データ１０−１、１０−２、１０−３、…、１０−ｍの各々に対してユーザ指定不要動画像データを１回で指定する。即ち、ユーザは、動画像データ１０−１、１０−２、１０−３、…、１０−ｍの各々を編集するときに、操作画面３０を参照しながら選択調整指示を行なって、操作画面３０に表示された動画像データ１０−１、１０−２、１０−３、…、１０−ｍの各々を複数の候補動画像データに選別する。これにより、ユーザは、操作画面３０を参照しながら選択調整指示を１回行なったときに、操作画面３０に表示された動画像データ１０−１、１０−２、１０−３、…、１０−ｍの各々に対してユーザ指定不要動画像データを１回で指定することができる。ここで、ユーザが必要とする動画像データが奇数番目の候補動画像データであり、ユーザが必要としない動画像データが偶数番目の候補動画像データである場合、ユーザは、偶数番目の候補動画像データをユーザ指定不要動画像データとして指定すればよい。
この高度編集処理（ステップＳ６）により動画像データ１０−１、１０−２、１０−３、…、１０−ｍの各々を（ｎ／２）回に分けて編集する編集する編集時間は、動画像データ１０−１のみを（ｎ／２）回に分けてユーザー指定不要動画像データの指定をし、さらにそれをｍ個の動画像データに対してそれぞれを編集する場合と比べて、編集時間が１／ｍに短縮される。このように、本発明の動画像編集装置によれば、高度編集処理（ステップＳ６）により編集時間を短縮することができる。
【００６３】
また、本発明の動画像編集装置によれば、ユーザによる選別調整指示に応じて上述のオートアジャスト処理を実行することにより、操作画面３０に表示された動画像データ１０−１、１０−２、１０−３…、１０−ｍの各々の位置にカットポイントバー３２をそれぞれ自動的に指定するため、編集時間を更に短縮することができる。
【００６４】
以上の説明により、本発明の動画像編集装置によれば、動画像データを編集するための編集時間を短縮することができ、且つ、動画像データを再生表示したときの再生時間を短縮することができる。
【図面の簡単な説明】
【００６５】
【図１】図１は、本発明の動画像編集装置の構成を示す。
【図２】図２は、本発明の動画像編集装置の記憶装置３に格納される内容を示す。
【図３】図３は、本発明の動画像編集装置の制御装置１の構成を示を示す。
【図４】図４は、本発明の動画像編集装置における簡単編集処理、高度編集処理の概念について説明するための図である。
【図５】図５は、本発明の動画像編集装置における簡単編集処理、高度編集処理の概念について説明するための図である。
【図６】図６は、本発明の動画像編集装置における簡単編集処理、高度編集処理の概念について説明するための図である。
【図７】図７は、本発明の動画像編集装置の動作を示すフローチャートである。
【図８】図８は、本発明の動画像編集装置の動作として、簡単編集処理（Ｓ５）を示すフローチャートである。
【図９】図９は、本発明の動画像編集装置の動作として、簡単編集処理（Ｓ５）を示すフローチャートである。
【図１０】図１０は、本発明の動画像編集装置における操作画面３０を示す。
【図１１】図１１は、本発明の動画像編集装置における操作画面３０を示す。
【図１２】図１２は、本発明の動画像編集装置における操作画面３０を示す。
【図１３】図１３は、本発明の動画像編集装置における操作画面３０を示す。
【図１４】図１４は、本発明の動画像編集装置における操作画面３０を示す。
【図１５】図１５は、本発明の動画像編集装置の動作として、高度編集処理（Ｓ６）を示すフローチャートである。
【図１６】図１６は、本発明の動画像編集装置の動作として、高度編集処理（Ｓ６）を示すフローチャートである。
【図１７】図１７は、本発明の動画像編集装置における操作画面３０を示す。
【図１８】図１８は、本発明の動画像編集装置における操作画面３０を示す。
【図１９】図１９は、本発明の動画像編集装置における操作画面３０を示す。
【図２０】図２０は、本発明の動画像編集装置における操作画面３０を示す。
【図２１】図２１は、本発明の動画像編集装置について説明するための図である。
【図２２】図２２は、本発明の動画像編集装置について説明するための図である。
【符号の説明】
【００６６】
１    制御装置
２    表示装置
３    記憶装置
４    操作装置
１０−１〜１０−ｍ    動画像データ
１０−１−Ｔ、１０−２−Ｔ、１０−３−Ｔ、１０−４−Ｔ    タイムライン
１０−１−Ｗ、１０−２−Ｗ、１０−３−Ｗ、１０−４−Ｗ    音声波形データ
１１    ＣＰＵ
１２    記憶部
１３    コンピュータプログラム
１４    操作画面表示制御部
１５    ユーザ指定制御部
１６    格納制御部
１７    再生表示制御部
２０−１〜２０−ｍ    編集動画像データ
２０−１−１〜２０−１−ｎ、２０−２−１〜２０−２−ｎ、２０−１−３〜２０−３−ｎ、２０−４−１〜２０−４−ｎ    候補動画像データ
３０    操作画面
３１    表示時間間隔調節バー
３２    カットポイントバー
４０−１〜４０−４    指定履歴位置
４１    第１指定位置
４２    第２指定位置
５０−１〜５０−４    指定履歴位置
５０    指定位置
７０    静止画像データ
７１、７２    音声波形
７３    キーワード
８０−１〜８０−ｍ    編集結果動画像データ
Ｔ      グローバルタイムライン
【図１】
2006086634.tif 000003
【図２】
2006086634.tif 000004
【図３】
2006086634.tif 000005
【図４】
2006086634.tif 000006
【図５】
2006086634.tif 000007
【図６】
2006086634.tif 000008
【図７】
2006086634.tif 000009
【図８】
2006086634.tif 000010
【図９】
2006086634.tif 000011
【図１０】
2006086634.tif 000012
【図１１】
2006086634.tif 000013
【図１２】
2006086634.tif 000014
【図１３】
2006086634.tif 000015
【図１４】
2006086634.tif 000016
【図１５】
2006086634.tif 000017
【図１６】
2006086634.tif 000018
【図１７】
2006086634.tif 000019
【図１８】
2006086634.tif 000020
【図１９】
2006086634.tif 000021
【図２０】
2006086634.tif 000022
【図２１】
2006086634.tif 000023
【図２２】
2006086634.tif 000024